(57)【特許請求の範囲】
【請求項１】
表示画面を有する透過型の表示部と、
前記表示部に透過光を照射する発光部と、
入力映像信号に基づいて前記表示画面に映像を表示する表示制御部とを備え、
前記表示制御部は、
前記表示画面における所定の第１部分領域の前記映像に対応する前記入力映像信号の信号レベルを第1の所定の値と比較し、前記第1部分領域において、前記入力映像信号の信号レベルが前記第１の所定の値より低い値の画素数が前記第１部分領域の全画素数に対して第１の所定の比率よりも多いときに前記入力映像信号がスクリーンセーバーによるものと識別し、前記発光部の発光輝度を低下させて省電力動作を行う表示装置。
【請求項２】
前記表示画面の前記第１部分領域は、複数の第２部分領域から成り、
前記表示制御部は、各前記第２部分領域の前記映像に対応する前記入力映像信号の信号レベルを第２の所定の値と比較し、各前記第２部分領域において、前記入力映像信号の信号レベルが前記第２の所定の値よりも高い値の画素数が、各前記第２部分領域の各全画素数に対して第２の所定の割合よりも大きい部分領域が存在しないときに前記入力映像信号がスクリーンセーバーによるものと識別し、前記発光部の発光輝度を低下させて省電力動作を行う、請求項１に記載の表示装置。
【請求項３】
前記第１部分領域は、前記表示画面の周辺から該表示画面の内側に所定の画素数までの範囲に含まれ、前記表示画面の一部になるように定められた領域である、請求項１又は請求項２のいずれか一つに記載の表示装置。
【請求項４】
前記省電力動作には、前記発光部の発光を停止することが含まれる
請求項１から請求項３のいずれか一つに記載の表示装置。
【発明の詳細な説明】
【０００１】
【発明の属する技術分野】
この発明は、表示装置、特に入力映像信号の信号レベルに基づいて省電力動作を行う表示装置に関する。
【０００２】
【従来の技術】
パーソナルコンピューター（以下、「ＰＣ」と呼ぶ）などのモニタ（「表示装置」とも呼ぶ）として使用される液晶ディスプレイ（以下、「ＬＣＤ」と呼ぶ）の省電力化に関する技術としては、例えば特開平６−９５０６９号公報に開示されている従来技術がある。この従来技術は、透過型ＬＣＤの背後で発光するバックライトの輝度を低減することによって、省電力化を図るものである。具体的には、表示画面が、バックライトを遮る部分が多い場合には、つまり表示画面の映像に黒色部分が多い場合には、バックライトの輝度がそれほど必要とされていないので、バックライトの輝度を低下させて、消費電力を低減する。また、バックライトを遮る部分が少ない場合には、通常のバックライト輝度にして、表示品質を確保する。このように、バックライトの輝度を、表示画面の表示状態に応じて調整することにより、表示品質を劣化せずに、省電力化を図ることができる。
【０００３】
【発明が解決しようとする課題】
ところで、最近のＰＣでは、一定時間の間、例えばキーボード入力がなければ、モニタの焼き付きを防止するために「スクリーンセーバー」と呼ばれる機能によって、モニタの表示画面に様々な動きのある映像が表示される。このとき、表示される映像は通常黒色部分が多く、焼き付き防止とともにモニタの消費電力の低減も図られている。モニタとしてＣＲＴ（陰極線管）を使用した場合、電子銃で取り出されるカソード電流の値によって表示画面の輝度は制御されるため、輝度の低い黒色部分の多い映像を表示画面に表示することによってＣＲＴの消費電力を低減することができる。
【０００４】
一方、モニタとしてＬＣＤを使用した場合、バックライトでの消費電力が大きいため、バックライトからの光の透過量をＬＣＤ側で制御し、表示画面に黒色部分の多い映像を表示しただけでは、十分に省電力化を図ることができず、所望の省電力化を図るためにはバックライトの輝度を低減する必要があった。バックライトの輝度を低減する技術としては、上述の特開平６−９５０６９号公報に開示されている従来技術がある。この従来技術では、表示画面全体におけるバックライトを遮る部分の割合を用いるため、通常動作において表示画面に黒色部分の多い映像を表示すると、スクリーンセーバーが働いていると誤って判断してしまい、通常動作時にバックライトの輝度を低減する確率が高いという問題があった。
【０００５】
そこで、本発明は上述のような問題を解決するためになされたものであり、スクリーンセーバーと通常動作との識別性を向上させ、その結果、通常動作時に誤って省電力動作が行われる確率を低減する表示装置を提供することを目的とする。
【０００６】
【課題を解決するための手段】
この発明のうち請求項１に記載の表示装置は、表示画面を有する透過型の表示部と、前記表示部に透過光を照射する発光部と、入力映像信号に基づいて前記表示画面に映像を表示する表示制御部とを備え、前記表示制御部は、前記表示画面における所定の第１部分領域の前記映像に対応する前記入力映像信号の信号レベルを第1の所定の値と比較し、前記第1部分領域において、前記入力映像信号の信号レベルが前記第１の所定の値より低い値の画素数が前記第１部分領域の全画素数に対して第１の所定の比率よりも多いときに前記入力映像信号がスクリーンセーバーによるものと識別し、前記発光部の発光輝度を低下させて省電力動作を行うものである。
【０００７】
また、この発明のうち請求項２に記載の表示装置は、請求項１に記載の表示装置であって、前記表示画面の前記第１部分領域は、複数の第２部分領域から成り、
前記表示制御部は、各前記第２部分領域の前記映像に対応する前記入力映像信号の信号レベルを第２の所定の値と比較し、各前記第２部分領域において、前記入力映像信号の信号レベルが前記第２の所定の値よりも高い値の画素数が、各前記第２部分領域の各全画素数に対して第２の所定の割合よりも大きい部分領域が存在しないときに前記入力映像信号がスクリーンセーバーによるものと識別し、前記発光部の発光輝度を低下させて省電力動作を行うものである。
【０００８】
また、この発明のうち請求項３に記載の表示装置は、請求項１又は請求項２のいずれか一つに記載の表示装置であって、前記第１部分領域は、前記表示画面の周辺から該表示画面の内側に所定の画素数までの範囲に含まれ、前記表示画面の一部になるように定められた領域であるものである。
【０００９】
また、この発明のうち請求項４に記載の表示装置は、請求項１から請求項３のいずれか一つに記載の表示装置であって、前記省電力動作には、前記発光部の発光を停止することが含まれるものである。
【００１２】
【発明の実施の形態】
実施の形態１．
図１は本実施の形態１に係る表示装置１００の構成を示すブロック図である。図１に示すように、表示装置１００は表示部１と表示制御部２とを備えている。表示部１は、複数の画素（図示せず）から成る表示画面７を有するフラットパネル６と、フラットパネル６に光を照射するバックライト８とを備えており、表示制御部２は、画素変換部３と、バックライト８を駆動するバックライトインバータ４と、マイクロコンピューター５とを備えている。また、フラットパネル６は、例えば透過型ＬＣＤである。
【００１３】
本実施の形態１に係る表示装置１００では、外部から入力映像信号（以下、単に「映像信号」と呼ぶ）が画素変換部３に入力される。画素変換部３では、入力された映像信号に基づきフラットパネル６を制御し、バックライト８からの光の遮光量を変化させることにより、表示画面７に様々な映像を表示する。
【００１４】
マイクロコンピューター５は、後述する信号レベル比較結果を画素変換部３から受け取り、バックライトインバータ４に輝度調整信号を送る。また、マイクロコンピューター５は、画素変換部３に各種設定を行ったり、画素変換部３に入力される映像信号を画素変換部３から読み取ることができる。そして、バックライトインバータ４は受け取った輝度調整信号に基づき、バックライト８に所定電圧を印可し、バックライト８の輝度を調整する。
【００１５】
上述の構成を備える表示装置１００を例えばＰＣのモニタとして採用した場合、画素変換部３に入力される映像信号は、図１では図示していない、例えばＰＣ本体から送られてくる。ＰＣに上述のスクリーンセーバーが働いているとき、入力される映像信号に基づいて表示画面７に映像を表示すると、通常、表示画面７のほぼ全領域に渡って、黒色部分が多い映像が表示される。
【００１６】
また、ＰＣのＯＳとして採用されているＷｉｎｄｏｗｓ（登録商標）における通常動作時の表示画面７には、「タスクバー」と呼ばれる映像が表示される。タスクバーは、例えば、灰色の棒にＰＣ上で起動しているアプリケーションを切り替えるためのボタンが表示されている。図２は本実施の形態１に係る表示画面７においてタスクバーが表示される領域を示す図である。図２（ａ）〜（ｄ）に示すように、タスクバーは部分領域１０ａ〜１０ｄのいずれかの周辺領域に表示される。なお、通常、スクリーンセーバーが働いているときには、タスクバーは表示されず、表示画面７の部分領域１０ａ〜１０ｄには、黒色部分が多い映像が表示される。
【００１７】
上述のタスクバーは、通常動作時に表示画面７に表示されるが、タスクバーを隠す設定を行った場合でも、タスクバーは、隠す設定を行う前よりも細い、灰色の帯となって表示画面７の部分領域１０ａ〜１０ｄのいずれかの周辺領域に表示される。つまり、タスクバーは、表示される領域の大きさに変更はあるものの、通常動作では常に表示画面７に表示される。また、タスクバーの輝度は、通常スクリーンセーバーが働いているときに表示画面７の部分領域１０ａ〜１０ｄに表示される映像の輝度よりも全体的に高い。
【００１８】
このように、表示画面７の部分領域１０ａ〜１０ｄにおいて、通常動作時に表示されるタスクバーは、スクリーンセーバーが働いているときに表示される映像よりも、その輝度が全体的に高いため、部分領域１０ａ〜１０ｄに表示される映像の輝度を検出することによって、表示装置１００に入力される映像信号がスクリーンセーバーによるものか、通常動作によるものかを識別することができる。また、映像信号の信号レベルが、表示画面７に表示される映像の輝度を表しているため、映像信号の信号レベルを検出することによって、入力される映像信号がスクリーンセーバーによるものか、通常動作によるものかを識別することができる。そして、その識別結果をもとに、表示装置１００は省電力動作を行う。
【００１９】
次に、本実施の形態１に係る表示装置１００の省電力動作について詳細に説明する。図３は本実施の形態１に係る表示装置１００における省電力動作を示すフローチャートである。また、図４は図３に示す省電力動作において信号レベルを検出する領域を示す図であって、タスクバーが図２中の部分領域１０ａ〜１０ｄのどの領域に表示されるかは表示装置１００のユーザーによって異なるため、本実施の形態１では、部分領域１０ａ〜１０ｄのすべてを包含した部分領域１０を利用する。
【００２０】
図３中のステップＳ１〜Ｓ３は、入力される映像信号がスクリーンセーバーによるものか、通常動作によるものかを識別するための工程であって、ステップＳ４，Ｓ５は省電力動作を実際に行う工程である。
【００２１】
ステップＳ１では、画素変換部３は表示画面７における部分領域１０の各画素に対応する映像信号の信号レベルを検出する。そして、ステップＳ２では、画素変換部３はステップＳ１で検出した信号レベルのそれぞれと、マイクロコンピューター５によって設定された基準値ｘとを比較する。ここで、基準値ｘは、例えば通常動作時に表示されるタスクバーにおける各画素に対応する映像信号の信号レベルをもとに設定される値である。なお、各信号レベルと基準値ｘとの比較結果を「信号レベル比較結果ｘ」と呼ぶ。そして、画素変換部３は信号レベル比較結果ｘをマイクロコンピューター５に送る。
【００２２】
ステップＳ３では、マイクロコンピューター５は受け取った信号レベル比較結果ｘから、基準値ｘより低い信号レベルに対応する画素の数が、部分領域１０の全画素数に対して占める割合を計算する。そして、基準値ｘより低い信号レベルに対応する画素の数が、部分領域１０の全画素数のＡ％以上であるとき、マイクロコンピューター５は入力された映像信号がスクリーンセーバーによるものと判断し、バックライトインバータ４にスクリーンセーバー時の輝度にするように輝度調整信号を送る。バックライトインバータ４は受け取った輝度調整信号をもとにバックライト８の輝度を下げる。その結果、表示装置１００の消費電力が低減される。また、基準値ｘより低い信号レベルに対応する画素の数が、部分領域１０の全画素数のＡ％未満であるとき、マイクロコンピューター５は入力された映像信号が通常動作によるものと判断し、バックライトインバータ４には通常動作時の輝度調整信号を送る。そして、バックライトインバータ４はバックライト８の輝度を通常動作時にする。ここで、上述の数値「Ａ」は、基準値ｘの設定方法や、通常動作時に表示されるタスクバーが部分領域１０に対して占める割合などによって決定される値である。
【００２３】
上述のように、本実施の形態１に係る表示装置１００の省電力動作では、表示画面７の全領域ではなく、表示画面７の部分領域１０における映像に対応する映像信号の信号レベルに基づいて、入力される映像信号がスクリーンセーバーによるものか、通常動作によるものかを識別しているため、スクリーンセーバーと通常動作との識別性が向上する。その結果、通常動作時に誤って省電力動作を行う確率が低減される。
【００２４】
具体的には、上述の特開平６−９５０６９号公報に開示されている従来技術では、表示画面全体を利用してバックライトの輝度調整を行っており、本実施の形態１に係る表示装置１００の省電力動作では、表示画面７の全体ではなく、部分領域１０を利用してバックライトの輝度を調整している。ここで、本実施の形態１において使用したタスクバーのように、通常動作時において、スクリーンセーバーが働いているときに表示される映像よりもその輝度が高い領域、つまりスクリーンセーバーと通常動作との識別を可能にする領域を「識別可能領域」と呼ぶ。また、本実施の形態１において使用した部分領域１０のように、識別可能領域を含み、スクリーンセーバーと通常動作との識別を行う際に使用する領域を「識別対象領域」と呼ぶ。識別可能領域が識別対象領域に対して占める割合は、識別対象領域を表示画面７の全領域に設定したときよりも、表示画面７の部分領域１０に設定したときの方が大きいため、表示画面７の全体を利用してスクリーンセーバーと通常動作とを識別するよりも、部分領域１０を利用してスクリーンセーバーと通常動作とを識別する方が、識別性は向上する。その結果、上述のように、通常動作時に誤ってバックライトの輝度を下げる確率、つまり省電力動作を行う確率は、特開平６−９５０６９号公報に開示されている従来技術よりも低減される。
【００２５】
なお、本実施の形態１に係る表示装置１００の省電力動作において、図３のステップＳ４では、バックライトの輝度を下げることによって、表示装置１００の消費電力を低減していたが、バックライトを完全にオフにすることによって表示装置１００の消費電力を低減しても良いし、バックライトの輝度の低減とバックライトのオフとをユーザーの設定によって選択し、表示装置１００の消費電力を低減し、省電力動作を行ってもよい。
【００２６】
図５は本実施の形態１に係る表示装置１００の変形例の構成を示すブロック図であって、図中の表示装置１０１は、図１に示す表示装置１００において、バックライトの輝度を調整する機能の代わりに、バックライトを完全にオフする機能を有している。また、図６は本実施の形態１に係る表示装置１００の変形例の構成を示すブロック図であって、図中の表示装置１０２は、図１に示す表示装置１００において、バックライトの輝度を調整する機能に加えて、バックライトを完全にオフする機能を備えている。
【００２７】
図５に示すように、表示装置１０１の表示制御部２はスイッチ９を更に備えている。スイッチ９には、表示装置１０１の外部からバックライトインバータ電源（以後、「インバータ電源」と呼ぶ）が供給され、バックライトインバータ４にはスイッチ９を介してインバータ電源が供給される。
【００２８】
マイクロコンピューター５はスイッチ９をオン／オフすることによって、バックライトインバータ４へのインバータ電源の供給を制御する。バックライトインバータ４へのインバータ電源の供給が停止されると、バックライトインバータ４からバックライト８に電圧が出力されなくなるため、バックライト８はオフとなる。また、バックライトインバータ４へのインバータ電源の供給が開始されると、バックライトインバータ４から所定電圧がバックライト８に出力され、バックライト８はオンとなる。その他の構成については、上述の表示装置１００と同じであるため、ここでは説明を省略する。
【００２９】
また、図６に示すように、表示装置１０２の表示制御部２はスイッチ９を更に備えている。スイッチ９には、表示装置１０２の外部からインバータ電源が供給され、バックライトインバータ４にはスイッチ９を介してインバータ電源が供給される。
【００３０】
マイクロコンピューター５はスイッチ９をオン／オフすることによって、バックライトインバータ４へのインバータ電源の供給を制御する。また、上述の表示装置１００と同様に、マイクロコンピューター５はバックライトインバータ４に輝度調整信号を送ることも可能である。マイクロコンピューター５は、表示装置１０２の外部から入力される選択信号に基づいて、スイッチ９をオン／オフするか、バックライトインバータ４に輝度調整信号を送るかの選択を行う。ここで、選択信号は、例えばＰＣのユーザーが所定の操作をすることによって送られてくる信号である。つまり、マイクロコンピューター５は、ユーザーの要望に沿って、スイッチ９をオン／オフするか、バックライトインバータ４に輝度調整信号を送るかの選択、つまりバックライト８をオン／オフするか、バックライト８の輝度を調整するかの選択を行う。その他の構成については、上述の表示装置１００と同じであるため、ここでは説明を省略する。
【００３１】
このように、表示装置１０１はバックライト８の輝度を調整する機能の代わりに、バックライト８をオン／オフする機能を有しているため、図３に示す省電力動作を表示装置１０１に適用すると、図３に示すステップＳ４において、バックライト８の輝度を下げる代わりに、バックライト８を完全にオフすることによって、省電力化を図ることができる。
【００３２】
また、表示装置１０２はバックライト８の輝度を調整する機能と、バックライト８をオン／オフする機能とを有し、選択信号に基づいてどちらの機能を使用するか選択されるため、図３に示す省電力動作を表示装置１０２に適用すると、図３に示すステップＳ４において、バックライト８の輝度を下げて省電力化を図るか、バックライト８をオフすることによって省電力化を図るかをユーザーの要望に沿って選択することができる。なお、バックライト８をオフすると表示画面７には映像が表示されない。そのため、表示画面７に映像を表示した状態で省電力化を図るためには、バックライト８の輝度を下げる必要がある。
【００３３】
また、通常タスクバーは表示画面７の周辺領域に表示されるため、本実施の形態１のように、識別対象領域を表示画面７の周辺領域である部分領域１０に設定することは有効である。
【００３４】
また、本実施の形態１では、基準値ｘより低い信号レベルに対応する画素の数が、部分領域１０の全画素数に占める割合に基づいて、入力された映像信号がスクリーンセーバーによるものか、通常動作によるものかの判断を行っていたが、本発明において、当該判断の方法は、これに限定されるものではない。例えば、部分領域１０の各画素に対応する映像信号の信号レベルを、部分領域１０の全画素に渡って積算し、その積算値と基準値とを比較することによって、当該判断を行うことができる。
【００３５】
実施の形態２．
図７は本実施の形態２に係る表示装置１００における省電力動作を示すフローチャートである。上述の実施の形態１における省電力動作では、タスクバーが表示される領域が、表示画面７の部分領域１０ａ〜１０ｄのどの領域に表示されるか分からなかったため、部分領域１０ａ〜１０ｄの領域をすべて包含する部分領域１０を利用して、スクリーンセーバーと通常動作との識別を行った。本実施の形態２における省電力動作では、部分領域１０ａ〜１０ｄのそれぞれの領域ごとに、基準値ｙと映像信号の信号レベルとを比較する。
【００３６】
図７中のステップＳ１１では、画素変換部３は部分領域１０ａの各画素に対応する映像信号の信号レベルを検出する。同様に、部分領域１０ｂ，１０ｃ，１０ｄのそれぞれにおいて、各画素に対応する映像信号の信号レベルを検出する。そして、ステップＳ１２では、画素変換部３は、部分領域１０ａ〜１０ｄのそれぞれにおいて、ステップＳ１１で検出した信号レベルのそれぞれと、マイクロコンピューター５によって設定された基準値ｙとを比較する。ここで、基準値ｙは、例えば通常動作時に表示されるタスクバーにおける各画素に対応する映像信号の信号レベルをもとに設定される値である。なお、各信号レベルと基準値ｙとの比較結果を「信号レベル比較結果ｙ」と呼ぶ。そして、画素変換部３は信号レベル比較結果ｙをマイクロコンピューター５に送る。
【００３７】
ステップＳ１３では、マイクロコンピューター５は受け取った信号レベル比較結果ｙから、部分領域１０ａ〜１０ｄのそれぞれにおいて、基準値ｙより高い信号レベルに対応する画素の数が、部分領域１０ａ〜１０ｄのそれぞれにおける全画素数に対して占める割合を計算する。そして、部分領域１０ａ〜１０ｄのそれぞれにおいて、基準値ｙより高い信号レベルに対応する画素の数が、部分領域１０ａ〜１０ｄのそれぞれにおける全画素数のＢ％以上である部分領域が存在しないとき、マイクロコンピューター５は入力された映像信号がスクリーンセーバーによるものと判断し、バックライトインバータ４にスクリーンセーバー時の輝度にするように輝度調整信号を送る。バックライトインバータ４は受け取った輝度調整信号をもとにバックライト８の輝度を下げる。その結果、表示装置１００の消費電力が低減される。また、部分領域１０ａ〜１０ｄのそれぞれにおいて、基準値ｙより高い信号レベルに対応する画素の数が、部分領域１０ａ〜１０ｄのそれぞれにおける全画素数のＢ％以上である部分領域が存在するとき、マイクロコンピューター５は入力された映像信号が通常動作によるものと判断し、バックライトインバータ４には通常動作時の輝度調整信号を送る。そして、バックライトインバータ４はバックライト８の輝度を通常動作時の輝度にする。ここで、上述の数値「Ｂ」は、基準値ｙの設定方法や、通常動作時に表示されるタスクバーが部分領域１０ａ〜１０ｄのいずれかの領域に対して占める割合などによって決定される値である。
【００３８】
上述のように、本実施の形態２に係る表示装置１００の省電力動作では、表示画面７の部分領域１０ａ〜１０ｄのすべてを包含した部分領域１０ではなく、部分領域１０ａ〜１０ｄのそれぞれにおける映像に対応する映像信号の信号レベルに基づいて、入力される映像信号がスクリーンセーバーによるものか、通常動作によるものかを識別しているため、スクリーンセーバーと通常動作との識別性がさらに向上する。
【００３９】
具体的には、通常動作時に表示されるタスクバーのような識別可能領域が、識別対象領域に対して占める割合は、識別対象領域を部分領域１０に設定したときよりも、部分領域１０ａ〜１０ｄのそれぞれに設定したときの方が、部分領域１０ａ〜１０ｄのいずれか一つの領域においては、大きくなる。そのため、部分領域１０を利用してスクリーンセーバーと通常動作とを識別するよりも、部分領域１０ａ〜１０ｄのそれぞれを利用してスクリーンセーバーと通常動作とを識別する方が、識別性は向上する。
【００４０】
なお、本実施の形態２における省電力動作は、バックライト８の輝度を下げることによって行われているが、上述の表示装置１０１に、本実施の形態２における省電力動作を適用すると、バックライト８をオフすることによって省電力化を図ることができる。また、上述の表示装置１０２に、本実施の形態２における省電力動作を適用すると、バックライト８の輝度を下げて省電力化を図るか、バックライト８をオフすることによって省電力化を図るかをユーザーの要望に沿って選択することができる。
【００４１】
実施の形態３．
図８は本実施の形態３に係る表示装置１００における省電力動作を示すフローチャートである。図８に示す省電力動作は、上述の実施の形態１において、表示画面７の全領域における映像に対応する映像信号の信号レベルと基準値ｚとを比較し、その比較結果を利用する工程を更に備えるものである。
【００４２】
図８中のステップＳ１，Ｓ２は、図３中のステップＳ１，Ｓ２と同様であるため、説明を省略する。ステップＳ３では、マイクロコンピューター５は受け取った信号レベル比較結果ｘから、基準値ｘより低い信号レベルに対応する画素の数が、部分領域１０の全画素数に対して占める割合を計算する。そして、基準値ｘより低い信号レベルに対応する画素の数が、部分領域１０の全画素数のＡ％以上であるとき、マイクロコンピューター５は入力された映像信号がスクリーンセーバーによるものと判断し、バックライトインバータ４にスクリーンセーバー時の輝度にするように輝度調整信号を送る。バックライトインバータ４は受け取った輝度調整信号をもとにバックライト８の輝度を下げる。その結果、表示装置１００の消費電力が低減される。また、基準値ｘより低い信号レベルに対応する画素の数が、部分領域１０の全画素数のＡ％未満であるとき、ステップＳ２１に移る。
【００４３】
ステップＳ２１では、画素変換部３は表示画面７の全領域の各画素に対応する映像信号の信号レベルを検出する。そして、ステップＳ２２では、画素変換部３はステップＳ２１で検出した信号レベルのそれぞれと、マイクロコンピューター５によって設定された基準値ｚとを比較する。ここで、基準値ｚは、例えば通常動作時に表示される全画面における各画素に対応する映像信号の信号レベルをもとに設定される値である。なお、各信号レベルと基準値ｚとの比較結果を「信号レベル比較結果ｚ」と呼ぶ。そして、画素変換部３は信号レベル比較結果ｚをマイクロコンピューター５に送る。
【００４４】
ステップＳ２３では、マイクロコンピューター５は受け取った信号レベル比較結果ｚから、基準値ｚより低い信号レベルに対応する画素の数が、表示画面７の全領域における全画素数に対して占める割合を計算する。そして、基準値ｚより低い信号レベルに対応する画素の数が、表示画面７の全領域における全画素数のＣ％以上であるとき、マイクロコンピューター５は入力された映像信号がスクリーンセーバーによるものと判断し、バックライトインバータ４にスクリーンセーバー時の輝度にするように輝度調整信号を送る。バックライトインバータ４は受け取った輝度調整信号をもとにバックライト８の輝度を下げる。その結果、表示装置１００の消費電力が低減される。また、基準値ｚより低い信号レベルに対応する画素の数が、表示画面７の全領域における全画素数のＣ％未満であるとき、マイクロコンピューター５は入力された映像信号が通常動作によるものと判断し、バックライトインバータ４には通常動作時の輝度調整信号を送る。そして、バックライトインバータ４はバックライト８の輝度を通常動作時にする。ここで、上述の数値「Ｃ」は、基準値ｚの設定方法や、通常動作時に表示される画像が表示画面７の全領域に対して占める割合などによって決定される値である。
【００４５】
図９は本実施の形態３に係る表示装置１００における省電力動作を示すフローチャートであって、上述の実施の形態２において、表示画面７の全領域における映像に対応する映像信号の信号レベルと基準値ｚとを比較し、その比較結果を利用する工程を更に備えるものである。
【００４６】
図９中のステップＳ１１，Ｓ１２は、図７中のステップＳ１１，Ｓ１２と同様であるため、説明を省略する。ステップＳ１３では、マイクロコンピューター５は受け取った信号レベル比較結果ｙから、部分領域１０ａ〜１０ｄのそれぞれにおいて、基準値ｙより高い信号レベルに対応する画素の数が、部分領域１０ａ〜１０ｄのそれぞれにおける全画素数に対して占める割合を計算する。そして、部分領域１０ａ〜１０ｄのそれぞれにおいて、基準値ｙより高い信号レベルに対応する画素の数が、部分領域１０ａ〜１０ｄのそれぞれにおける全画素数のＢ％以上である部分領域が存在しないとき、マイクロコンピューター５は入力された映像信号がスクリーンセーバーによるものと判断し、バックライトインバータ４にスクリーンセーバー時の輝度にするように輝度調整信号を送る。バックライトインバータ４は受け取った輝度調整信号をもとにバックライト８の輝度を下げる。その結果、表示装置１００の消費電力が低減される。また、部分領域１０ａ〜１０ｄのそれぞれにおいて、基準値ｙより高い信号レベルに対応する画素の数が、部分領域１０ａ〜１０ｄのそれぞれにおける全画素数のＢ％以上である部分領域が存在するとき、ステップＳ２１に移る。ステップＳ２１〜Ｓ２３ついては、図８中のステップＳ２１〜Ｓ２３と同じであるため、説明は省略する。
【００４７】
上述のように、本実施の形態３に係る表示装置１００の省電力動作では、部分領域１０あるいは部分領域１０ａ〜１０ｄのそれぞれの映像に対応する映像信号の信号レベルに加えて、表示画面７の全領域における映像に対応する映像信号の信号レベルを利用しているため、スクリーンセーバーと通常動作との識別性が更に向上する。
【００４８】
例えば、スクリーンセーバーが働いているときの部分領域１０ａ〜１０ｄにおける映像が、通常動作時に表示されるタスクバーの輝度と同等か、あるいはそれ以上の輝度を有している場合であっても、表示画面７の全領域を利用した識別を行っているため、スクリーンセーバーと通常動作との識別を行うことが可能となる。
【００４９】
なお、本実施の形態３における省電力動作は、バックライト８の輝度を下げることによって行われているが、上述の表示装置１０１に、本実施の形態３における省電力動作を適用すると、バックライト８をオフすることによって省電力化を図ることができる。また、上述の表示装置１０２に、本実施の形態３における省電力動作を適用すると、バックライト８の輝度を下げて省電力化を図るか、バックライト８をオフすることによって省電力化を図るかをユーザーの要望に沿って選択することができる。
【００５０】
また、実施の形態１〜３において、表示部１として、バックライト８によって光が照射されるフラットパネル６を使用したが、ＣＲＴや、例えばプラズマディスプレイパネル、ＥＬ（有機ＥＬを含む）、ＬＥＤ、ＶＦＤ（Ｖａｃｃｕｍ  Ｆｌｕｏｒｅｓｃｅｎｓｅ  Ｄｉｓｐｌａｙ）、ＦＥＤ（Ｆｉｅｌｄ  Ｅｍｉｓｓｉｏｎ  Ｄｉｓｐｌａｙ）などの自発光型フラットパネルを使用しても良い。表示部１にＣＲＴを使用した場合、ＣＲＴの表示画面における映像の輝度調整は、電子銃で取り出すカソード電流値を調整することによって行うことができる。また、表示部１にプラズマディスプレイパネルを使用した場合、プラズマディスプレイパネルの表示画面における映像の輝度調整は、放電セルにおける放電回数の調整によって行うことができる。上述の他のディスプレイについても所定の方法で輝度を調整することができる。
【００５１】
【発明の効果】
この発明のうち請求項１に係る表示装置によれば、入力映像信号の信号レベルによって、入力映像信号がスクリーンセーバーによるものか、通常動作によるものかを識別する際、表示画面における全領域の映像に対応する入力映像信号の信号レベルに基づいて識別を行うよりも、表示画面において、スクリーンセーバーによって表示される映像の輝度よりも、通常動作によって表示される映像の輝度の方が高い領域（識別可能領域）を少なくとも含む部分領域に、第１部分領域を設定し、その第１部分領域の映像に対応する入力映像信号の信号レベルに基づいて識別を行う方が、スクリーンセーバーと通常動作との識別性が向上する。よって、誤って通常動作時に省電力動作を行うことが低減される。
【００５２】
また、この発明のうち請求項２に係る表示装置によれば、第１部分領域に、識別可能領域以外の領域を含む際、第２部分領域のいずれかの領域に含まれる識別可能領域は、第１部分領域よりも多いため、第１部分領域の映像に対応する入力映像信号の入力信号レベルに基づいてスクリーンセーバーと通常動作との識別を行うより、各第２部分領域の映像に対応する入力映像信号の信号レベルに基づいて識別を行う方が、スクリーンセーバーと通常動作との識別性がさらに向上する。
【００５３】
また、この発明のうち請求項３に係る表示装置によれば、通常、識別可能領域は、表示画面の周辺領域に設定されることが多い。そのため、識別可能領域以外の領域を、第１部分領域が含む量が少なくなる。そのため、スクリーンセーバーと通常動作との識別性がさらに向上する。
【００５４】
また、この発明のうち請求項４に係る表示装置によれば、表示画面における第１部分領域の映像に対応する入力映像信号の信号レベルと、全領域の映像に対応する入力映像信号の信号レベルとの両方に基づいて、スクリーンセーバーと通常動作との識別を行うことができるため、スクリーンセーバーと通常動作との識別性がさらに向上する。
【００５５】
また、この発明のうち請求項５に係る表示装置によれば、表示画面に映像を表示した状態で、省電力動作を行うことができる。
【００５６】
また、この発明のうち請求項６に係る表示装置によれば、省電力動作として、輝度調整及び輝度調整以外の動作のいずれか一方の省電力動作を選択することができるため、よりユーザーの要望に沿った表示装置を提供することができる。
【図面の簡単な説明】
【図１】  本実施の形態１に係る表示装置１００の構成を示すブロック図である。
【図２】  本実施の形態１に係る表示画面７においてタスクバーが表示される領域を示す図である。
【図３】  本実施の形態１に係る表示装置１００における省電力動作を示すフローチャートである。
【図４】  本実施の形態１に係る表示装置１００の省電力動作において、信号レベルを検出する領域を示す図である。
【図５】  本実施の形態１に係る表示装置１００の変形例の構成を示すブロック図である。
【図６】  本実施の形態１に係る表示装置１００の変形例の構成を示すブロック図である。
【図７】  本実施の形態２に係る表示装置１００における省電力動作を示すフローチャートである。
【図８】  本実施の形態３に係る表示装置１００における省電力動作を示すフローチャートである。
【図９】  本実施の形態３に係る表示装置１００における省電力動作を示すフローチャートである。
【符号の説明】
１  表示部、２  表示制御部、６  フラットパネル、７  表示画面、８  バックライト、１００〜１０２  表示装置。
【図１】
0004796710.tif 000002
【図２】
0004796710.tif 000003
【図３】
0004796710.tif 000004
【図４】
0004796710.tif 000005
【図５】
0004796710.tif 000006
【図６】
0004796710.tif 000007
【図７】
0004796710.tif 000008
【図８】
0004796710.tif 000009
【図９】
0004796710.tif 000010